(57)【要約】      （修正有）【課題】衣服、ズボン、靴、女性用下着、ネクタイ、リュックサック、タオル、及び布団等を掛けるのが便利なハンガー構造を提供する。【解決手段】ハンガー構造１は、掛けユニット２及び本体ユニット３を備える。掛けユニットにはホック部材２１及び係合部材が設置され、本体ユニットには少なくとも１つの結合部材３３及び１つ以上の支持部材３１、３２が設置され、結合部材には少なくとも１つの孔部３３１が設けられ、結合部材は支持部材に結合され、且つ掛けユニットの係合部材は結合部材の孔部に挿入され、衣服及び靴を掛けるためのハンガーが形成される。【選択図】図１
0003196694.tif 000002
【実用新案登録請求の範囲】
【請求項１】
ホック部材及び係合部材が設置される掛けユニットと、
少なくとも１つの結合部材及び１つ以上の支持部材が設置され、且つ前記結合部材には少なくとも１つの孔部が設けられ、前記結合部材が前記支持部材に固定的に結合され、且つ前記掛けユニットの前記係合部材は前記結合部材の前記孔部に挿入され、衣服及び靴を掛けるためのハンガーが形成される本体ユニットと、
を備えることを特徴とするハンガー構造。  
【請求項２】
前記本体ユニットの形状は楕円形であることを特徴とする、請求項１記載のハンガー構造。
【請求項３】
前記結合部材の形状は長方形或いは円形（round or similar round）であることを特徴とする、請求項１記載のハンガー構造。
【請求項４】
前記掛けユニットの厚さは前記本体ユニットの厚さより大きくないことを特徴とする、請求項１記載のハンガー構造。
【請求項５】
隣接する２つの前記支持部材は等距離であることを特徴とする、請求項１記載のハンガー構造。
【請求項６】
２つの前記支持部材の間の距離は前記本体ユニットの厚さに等しいことを特徴とする、請求項１記載のハンガー構造。
【請求項７】
前記掛けユニットの厚さは２つの前記支持部材の間の距離より大きくないことを特徴とする、請求項１記載のハンガー構造。
【請求項８】
前記係合部材は環状凹部を更に備えることを特徴とする、請求項１記載のハンガー構造。
【請求項９】
前記係合部材は前記結合部材の前記孔部を貫通させることにより、前記環状凹部が前記孔部に係合されることができることを特徴とする、請求項８記載のハンガー構造。
【請求項１０】
前記係合部材は前記結合部材の前記孔部の中心線を軸として回転することができることを特徴とする、請求項１記載のハンガー構造。
【考案の詳細な説明】
【技術分野】
【０００１】
本考案は、ハンガー構造に関し、より詳しくは、掛けユニット及び本体ユニットを備えると共に前記掛けユニットにはホック部材及び係合部材が設置され、前記本体ユニットには少なくとも１つの結合部材及び１つ以上の支持部材が設置され、前記結合部材には少なくとも１つの孔部が設けられ、前記結合部材は前記支持部材に結合され、前記掛けユニットの前記係合部材は前記結合部材の前記孔部に挿入され、衣服及び靴を掛けるためのハンガーが形成されるハンガー構造に関する。
【背景技術】
【０００２】
衣食住は生活に欠かせないものであり、衣服を着飾ることは個人の個性や風格を表現することでもあり、衣料を掛けるハンガーは衣料の保存に大きな影響を与える。
【考案の概要】
【考案が解決しようとする課題】
【０００３】
しかしながら、市場で販売されるハンガーは千差万別であり、如何に需要に見合ったハンガーを提供するかを本考案者は思案し、ハンガー構造を考案した。本ハンガー構造を利用して衣服、ズボン、靴、女性用下着、ネクタイ、リュックサック、タオル、及び布団等を掛ける。
【０００４】
そこで、本考案者は上記の欠点が改善可能と考え、鋭意検討を重ねた結果、合理的かつ効果的に課題を改善する本考案のハンガー構造の提案に到った。
【０００５】
本考案は、以上の実情に鑑みなされたものであって、上記課題解決のため、本考案は、ハンガー構造を提供することを主目的とする。換言すれば、衣服、ズボン、靴、女性用下着、ネクタイ、リュックサック、タオル、及び布団等を掛けるのが便利になる。
【課題を解決するための手段】
【０００６】
上述した課題を解決し、目的を達成するために、本考案に係るハンガー構造は、
ホック部材及び係合部材が設置される掛けユニットと、
少なくとも１つの結合部材及び１つ以上の支持部材が設置され、且つ前記結合部材には少なくとも１つの孔部が設けられ、前記結合部材が前記支持部材に結合され、且つ前記掛けユニットの前記係合部材は前記結合部材の前記孔部に挿入され、衣服及び靴を掛けるためのハンガーが形成される本体ユニットを備えることを特徴とする。
【０００７】
好ましくは、前記本体ユニットの形状は楕円形である。
【０００８】
好ましくは、前記結合部材の形状は長方形或いは円形である。
【０００９】
好ましくは、前記掛けユニットの厚さは前記本体ユニットの厚さより厚くない。
【００１０】
好ましくは、隣接する２つの前記支持部材は等距離になる。
【００１１】
好ましくは、２つの前記支持部材の間の距離は前記本体ユニットの厚さに等しい。
【００１２】
好ましくは、前記掛けユニットの厚さは２つの前記支持部材の間の距離より厚くない。
【００１３】
好ましくは、前記係合部材は環状凹部を更に備える。
【００１４】
好ましくは、前記係合部材は前記結合部材の前記孔部を貫通させ、前記環状凹部が前記孔部に係合される。
【００１５】
好ましくは、前記係合部材は前記結合部材の前記孔部の中心線を軸として回転する。
【考案の効果】
【００１６】
本考案によれば、衣服、ズボン、靴、女性用下着、ネクタイ、リュックサック、タオル、及び布団等を掛けるのが便利になる。
【図面の簡単な説明】
【００１７】
【図１】本考案の第１実施形態によるハンガー構造を示す外観斜視図である。
【図２】本考案の第１実施形態によるハンガー構造を示す展開図である。
【図３】本考案の第１実施形態によるハンガー構造を示す前面図である。
【図４】本考案を使用する使用状態図である。
【図５】本考案の他の使用状態図である。
【図６】本考案の他の使用状態図である。
【図７】本考案の他の使用状態図である。
【考案を実施するための形態】
【００１８】
以下に図面を参照して、本考案を実施するための形態について、詳細に説明する。なお、本考案は、以下に説明する実施形態に限定されるものではない。
【００１９】
（第１実施形態）
以下、本考案の実施形態について、図面を参照しながら説明する。図１は本考案のハンガー構造を示す外観斜視図であり、図２は本考案のハンガー構造を示す展開図であり、図３は本考案のハンガー構造を示す前面図であり、図４は本考案の使用状態図であり、図４は本考案の他の使用状態図であり、図５は本考案の他の使用状態図であり、図６は本考案の他の使用状態図であり、図７は本考案の他の使用状態図である。
【００２０】
図１乃至図７によれば、本考案ハンガー構造１は、掛けユニット２及び本体ユニット３を備える。前記本体ユニット３の形状は楕円形であり、前記掛けユニット２の厚さｄは前記本体ユニット３の厚さＤより厚くない。前記掛けユニット２にはホック部材２１及び係合部材２２が設置され、前記係合部材２２は前記ホック部材２１の下端に固設される。前記係合部材２２は環状凹部２２１を更に含み、前記本体ユニット３には少なくとも１つの結合部材３３（３４）及び１つ以上の支持部材３１（３２）が設置され、前記結合部材３３には少なくとも１つの孔部３３１が設けられ、前記結合部材３４には少なくとも１つの孔部３４１（３４２）が設けられる。前記結合部材３３の形状は長方形或いは円形であり、前記係合部材２２は前記結合部材３４の前記孔部３４１を貫通させて前記結合部材３４の前記孔部３４２中で係止し、前記係合部材２２の前記環状凹部２２１を前記結合部材３４の前記孔部３４１に係合させ、前記係合部材２２は前記結合部材３４の前記孔部３４１の中心線Ｃを軸として回転する。
【００２１】
また、前記結合部材３３（３４）は前記支持部材３１（３２）に結合され、隣接する２つの前記支持部材３１と支持部材３１、支持部材３１と支持部材３２、及び支持部材３２と支持部材３２との間の距離Ｌは均しくなり、且つ２つの前記支持部材３１（３２）の間の距離Ｌは前記本体ユニット３の厚さＤに等しい。前記掛けユニット２の厚さｄは２つの前記支持部材３１（３２）の間の距離Ｌより厚くなく、前記掛けユニット２の前記係合部材２２が前記結合部材３４の前記孔部３４１に挿入され、前記係合部材２２は前記結合部材３４の前記孔部３４１を貫通させて前記結合部材３４の前記孔部３４２中で係止し、前記係合部材２２の前記環状凹部２２１が前記結合部材３４の前記孔部３４１に係合する。使用時には、前記係合部材２２は前記結合部材３４の前記孔部３４１の中心線Ｃを軸として回転し、前記掛けユニット２が自由回転して前記ホック部材２１が横棒に掛着され、衣服及び靴を掛けるためのハンガーが形成される。
【００２２】
なお、本考案の実施形態では、隣接する２つの前記支持部材３１と支持部材３１、支持部材３１と支持部材３２、及び支持部材３２と支持部材３２との間の距離Ｌは均しく、且つ２つの前記支持部材３１（３２）の間の距離Ｌは前記本体ユニット３の厚さＤに等しく、２つの前記本体ユニット３は前記支持部材３１（３２）により係合され、前記結合部材３３で係止される。前記掛けユニット２の厚さｄは前記本体ユニット３の厚さＤより厚くなく、前記掛けユニット２の厚さｄは２つの前記支持部材３１（３２）の間の距離Ｌより厚くなく、前記掛けユニット２の前記ホック部材２１は２つの前記支持部材３１（３２）の間を貫通し、前記ホック部材２１は前記結合部材３３に結合され、ハンガーを収納させる。
【００２３】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００２４】
１  ハンガー構造
２  掛けユニット
２１  ホック部材
２２  係合部材
２２１  環状凹部
３  本体ユニット
３１  支持部材
３２  支持部材
３３  結合部材
３３１  孔部
３４  結合部材
３４１  孔部
３４２  孔部
Ｃ  中心線
ｄ  厚さ
Ｄ  厚さ
Ｌ  距離
【図１】
0003196694.tif 000003
【図２】
0003196694.tif 000004
【図３】
0003196694.tif 000005
【図４】
0003196694.tif 000006
【図５】
0003196694.tif 000007
【図６】
0003196694.tif 000008
【図７】
0003196694.tif 000009